(57)【要約】【課題】複数の壁パネルの表面が面一になっている壁にすることができ、しかも、施工現場で壁取付金具を建物構造体に溶接することなしに、容易に壁パネルを建物構造体に取り付けることのできる壁パネルの取付構造を提供する。【解決手段】壁取付金具６を壁パネル４に取り付け、ネジ棒６５の両端部をそれぞれ壁取付金具６と建物構造体３に連結する。そして、このネジ棒６５と壁取付金具６の連結構造のどちらか一方は、壁取付金具６又は建物構造体３に通孔６１１を設け、ネジ棒６５をこのネジ棒６５に螺入し、通孔６１１をこのネジ棒６５に螺入した２個のナット６６で挟んで固定している。【選択図】　図１
2004019354.tif 000002
【特許請求の範囲】
【請求項１】
壁取付金具が壁パネルに取り付けられ、ネジ棒がこの壁取付金具と建物構造体に差し渡され、このネジ棒の両端部がそれぞれ壁取付金具と建物構造体に連結され、このネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定されていることを特徴とする壁パネルの取付構造。
【請求項２】
壁取付金具が壁パネルに取り付けられ、ネジ棒がこの壁取付金具と建物構造体に差し渡され、このネジ棒の両端部がそれぞれ壁取付金具と建物構造体に連結され、このネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定され、他方は、壁取付金具又は建物構造体にネジ孔又はナットが設けられ、前記ネジ棒がネジ孔又はナットに螺入されていることを特徴とする壁パネルの取付構造。
【請求項３】
前記建物構造体が上下の梁に差し渡された間柱であることを特徴とする請求項１又は請求項２に記載の壁パネルの取付構造。
【請求項４】
前記壁取付金具がコ字形又はＬ字形のピース金具であり、コ字形の一方のフランジ又はＬ字形の一方の片が前記ネジ棒に連結され、コ字形のウエッブ又はＬ字形の他方の片が壁パネルの端面に連結されていることを特徴とする請求項１又は請求項２に記載の壁パネルの取付構造。
【発明の詳細な説明】
【０００１】
【発明の属する技術分野】
本発明は外壁パネルの取付構造に関する。
【０００２】
【従来の技術】
壁パネルを壁取付金具で建物構造体に取り付ける壁パネルの取付構造としては、種々な構造が知られている。
最も多く採用されている壁パネルの取付構造は、建物構造体に取付金具であるピース金具を溶接して取り付け、このピース金具と壁パネルとをボルト・ナットで連結した構造である。
【０００３】
又、特開昭６０−２３５４０号公報には、ＡＬＣの外壁面材に取付金具であるナットが埋設された壁パネルの取付構造が記載されている。この壁パネルの取付構造は、建物構造体に設けられている通孔を貫通したボルトを、この外壁面材に埋設されたナットに螺入して壁パネルを建物躯体に取り付けるものである。
【０００４】
又、特開２０００−４５３８１号公報や特開２００１−１１５５４７号公報には、建物構造体に支柱を立設し、この支柱に取付金具を上下に移動可能に取り付け、この取付金具の取り付けられている支柱を、壁パネルに設けられている通孔の中に挿入し、壁パネルを貫通したボルトを支柱に取り付けられている取付金具に螺入して壁パネルを支柱に連結する壁パネルの取付構造が記載されている。
【０００５】
【発明が解決しようとする課題】
しかし、上記建物構造体にピース金具を溶接し、このピース金具と壁パネルをボルト・ナットで連結する壁パネルの取付構造では、建物構造体にピース金具を溶接する必要がある。この溶接作業は、足場の悪い場所で行うために、作業し難いし、溶接を行うためには、熟練技術者や溶接設備が必要になる。
又、溶接時に発生する火が建物構造体の周囲に散って火災にならないように、建物構造体の周囲を耐火構造又は防火構造にする等の注意が必要である。
【０００６】
特開昭６０−２３５４０号公報に記載されている外壁パネルの取付構造では、ナットと建物構造体の通孔の位置が少しでもずれていると、建物構造体の通孔を貫通したボルトを壁パネルに埋設されているナットに螺入することができなくなるという問題がある。
特開２０００−４５３８１号公報や特開２００１−１１５５４７号公報に記載されている外壁パネルの取付構造では、取付金具が支柱に上下に移動可能に取り付けられているので、ボルトを取付金具に螺入できなくなることが少ないが、通孔の中に支柱と一緒に挿入されている取付金具に、壁パネルの外側からボルトを螺入することは、取付金具が見えないので極めて困難である。
【０００７】
又、上記すべての壁パネルの取付構造の問題点であるが、建物構造体に複数の壁パネルを壁取付金具で取り付けたときに、壁パネルの厚みの誤差や壁取付金具の取付位置の誤差や、壁パネルの反り等で壁パネルの位置がずれ、その結果、複数の壁パネルの表面が面一な状態に取り付けられてないことが多い。このようになると、壁全体の表面が凹凸状になり易く、醜悪である。
【０００８】
そこで、本発明の目的は、複数の壁パネルの表面が面一になっている壁にすることができ、しかも、施工現場で壁取付金具を建物構造体に溶接することなしに、容易に壁パネルを建物構造体に取り付けることのできる壁パネルの取付構造を提供することである。
【０００９】
【課題を解決するための手段】
本発明は上記目的を達成するためになしたものであって、請求項１記載の発明は、壁取付金具が壁パネルに取り付けられ、ネジ棒がこの壁取付金具と建物構造体に差し渡され、このネジ棒の両端部がそれぞれ壁取付金具と建物構造体に連結され、このネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定されているものである。
【００１０】
請求項２記載の発明は、壁取付金具が壁パネルに取り付けられ、ネジ棒がこの壁取付金具と建物構造体に差し渡され、このネジ棒の両端部がそれぞれ壁取付金具と建物構造体に連結され、このネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定され、他方は、壁取付金具又は建物構造体にネジ孔又はナットが設けられ、前記ネジ棒がネジ孔又はナットに螺入されているものである。
【００１１】
請求項３記載の発明は、請求項１又は請求項２記載の発明に係り、前記建物構造体が上下の梁に差し渡された間柱であるものである。
【００１２】
請求項４記載の発明は、請求項１又は請求項２記載の発明に係り、前記壁取付金具がコ字形又はＬ字形のピース金具であり、コ字形の一方のフランジ又はＬ字形の一方の片が前記ネジ棒に連結され、コ字形のウエッブ又はＬ字形の他方の片が壁パネルの端面に連結されているものである。
【００１３】
本発明における壁パネルとは、建物躯体に取り付けて壁を形成するものであって、ＡＬＣ等のように壁面材だけの場合もあるし、硬質木片セメント板や石膏ボード等の壁面材に枠材を取り付けたものもある。かかる壁パネルとしては、外壁パネル、内壁パネル、間仕切りパネル等がある。
【００１４】
請求項１記載の発明や請求項２記載の発明における壁取付金具は、壁パネルを建物構造体に取り付けるものであって、壁パネルを形成する枠材と共用してもよいし、壁パネルに取り付けた別のものであってもよい。又、壁パネルの外側に取り付けてもよい。
本発明においては、ネジ棒で壁取付金具を建物構造体に取り付けるので、この壁取付金具をネジ棒が取り付け易い構造にすることが好ましい。
【００１５】
そして、壁取付金具が壁パネルに取り付ける別のものの場合には、ネジ棒を介して建物構造体に取り付ける部分と壁パネルに取り付ける部分とを一体に設けたものでもよいし、ネジ棒に取り付ける部分と壁パネルに取り付ける部分とを分離した金具にし、この両方の金具を連結したものでもよい。又、短尺体のピースであってもよいし、長尺体でもよい。又、壁取付金具を直接壁パネルに取り付けてもよいし、この壁取付金具を別のものを介して取り付けるようにしてもよい。
【００１６】
特に、請求項４記載のように、壁取付金具を建物構造体に取り付ける片と壁パネルに取り付ける片とを略直角にしたコ字形又はＬ字形のピース金具にすると、ピース金具をネジ棒で建物構造体に取り付けた場所だけに設けて、材料を節約して、安価にすることができるし、コ字形の一方のフランジ又はＬ字形の一方の片を前記ネジ棒に連結し、コ字形のウエッブ又はＬ字形の他方の片を壁パネルの端面に連結することができ、壁パネルの取付作業が容易になるので好ましい。
【００１７】
本発明における建物構造体とは、壁パネルを取り付ける建物の部材をいい、梁、柱、間柱、まぐさ等が好適な建物構造体である。
そして、請求項１記載の発明や請求項２記載の発明における建物構造体としては、上記の梁、柱、間柱、まぐさ等のいずれでもよいが、請求項３記載のように、上下の梁に差し渡された間柱であると、上下の梁が対峙している適宜場所に間柱を立設し、この間柱に壁パネルを取り付けることができるので、好ましい。
【００１８】
本発明におけるネジ棒とは、棒状体の外周面にネジを設けたものであって、棒にネジを設けたものであってもよいし、棒の先端に回転させるための六角形状の頭を設けたボルトであってもよい。
請求項１記載の発明では、ネジ棒と壁取付金具の連結構造と、ネジ棒と建物構造体の連結構造のどちらか一方は規定されているが、他方は規定されてない。
即ち、この他方は、一方と同様に、壁取付金具又は建物構造体に通孔を設け、ネジ棒をこの通孔に挿入し、通孔周縁部をこのネジ棒に螺入した２個のナットで挟んでもよいし、予め工場等で壁取付金具又は建物構造体にネジ棒を溶接したり軸着等の機械的手段で連結してもよいし、ネジ棒の先端に係止部を設けて、壁取付金具又は建物構造体に係止させてもよい。
【００１９】
しかし、取付構造の一方がネジ棒であるので、請求項２記載の発明のように、壁取付金具又は建物構造体にネジ孔又はナットを設け、このネジ孔又はナットにネジ棒を螺入した取付構造が好ましい。
又、一方の連結構造が、ネジ棒を壁取付金具に連結する側（ネジ棒と壁取付金具の連結構造）に設けられてもよいし、ネジ棒を建物構造体に連結する側（ネジ棒と建物構造体の連結構造）に設けられてもよいが、ネジ棒を壁取付金具に連結する側に設けられる方が、ネジ棒に螺入された２個のナットを回転させて壁パネルの取付位置を調整する作業が行い易くなり、好ましい。
【００２０】
（作用）
請求項１記載の発明では、ネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定されているので、この２個のナットを回転させ、この２個のナットに挟まれている壁取付金具又は建物構造体を２個のナット共に、ネジ棒の軸方向に移動させて、壁取付金具と建物構造体との間の距離を調節することができる。
【００２１】
従って、建物構造体に複数の壁パネルを壁取付金具で取り付けたときに、壁パネルの厚みの誤差や壁取付金具の取付位置の誤差や、壁パネルの反り等で、複数の壁パネルの表面が面一な状態に取り付けられず、壁全体の表面が凹凸状になった場合でも、上記方法で壁取付金具と建物構造体との間の距離を調節し、壁全体の表面が面一になっている美麗な壁にすることができる。
又、この連結構造に施工するには、ネジ棒にナットを螺入して壁取付金具又は建物構造体の通孔の周縁部を挟めばよく、作業が容易であるし、溶接しないので、溶接を行うための熟練技術者や溶接設備が必要ないし、火災の発生する危険性がない。
【００２２】
請求項２記載の発明では、ネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定されているので、請求項１記載の発明と同様に、建物構造体に複数の壁パネルを壁取付金具で取り付けたときに、壁パネルの厚みの誤差や壁取付金具の取付位置の誤差や、壁パネルの反り等で、複数の壁パネルの表面が面一な状態に取り付けられず、壁全体の表面が凹凸状になった場合でも、壁取付金具と建物構造体との間の距離を調節して、壁全体の表面が面一になっている美麗な壁にすることができる。
【００２３】
又、他方は、壁取付金具又は建物構造体にネジ孔又はナットが設けられ、前記ネジ棒がネジ孔又はナットに螺入されているので、ネジ棒をネジ孔又はナットに螺入するだけで、他方を連結することができ、作業し易い。
両方の連結構造に施工するには、ネジ棒にナットを螺入したり、ネジ棒を建物構造体のネジ孔又はナットに螺入すればよく、作業が容易であるし、溶接しないので、溶接を行うための熟練技術者や溶接設備が必要ないし、火災が発生する危険性がない。
【００２４】
請求項３記載の発明では、建物構造体が上下の梁に差し渡された間柱であるので、建物の上下の梁が対峙している適宜場所に間柱を立設し、この間柱に壁パネルを取り付けることができる。
特に、壁パネルが外壁パネルや内壁パネルの場合には、外壁や内壁を設ける位置には、必ず、上下に梁が対峙しているので、この上下の梁に間柱を設けることにより、外壁パネルや内壁パネルを所望の位置に容易に取り付けることができる。
【００２５】
請求項４記載の発明では、壁取付金具がコ字形又はＬ字形のピース金具であり、コ字形の一方のフランジ又はＬ字形の一方の片が前記ネジ棒に連結され、コ字形のウエッブ又はＬ字形の他方の片が壁パネルの端面に連結されているので、このピース金具をネジ棒で建物構造体に取り付けた場所だけに設けて、材料を節約し、安価にすることができるし、コ字形の一方のフランジ又はＬ字形の一方の片を前記ネジ棒に連結し、コ字形のウエッブ又はＬ字形の他方の片を壁パネルの端面に連結して壁パネルを容易に取り付けることができる。
【００２６】
【発明の実施の形態】
次に、本発明の実施の形態を実施例で説明する。
図１〜図４は本発明の一実施例を示すもので、図１（イ）は１階と２階の境界部分の内壁と外壁近傍を示す断面図、（ロ）は（イ）のＡ部分を拡大して示す断面図、図２は内壁パネルの取付構造を分解して示す斜視図、図３は内壁パネルを示す一部切欠斜視図、図４は壁取付金具を示す斜視図である。
【００２７】
図１〜図４において、Ｈは２階建ての建物である。
１は建物Ｈの１階の下側に設けられている梁であり、この梁１は、上側フランジ１１と、下側フランジ１２と、この上側フランジ１１と下側フランジ１２を繋ぐウエッブ１３とからなる鋼製の断面エ字形長尺体であり、上側フランジ１１には通孔１１１が設けられている。
【００２８】
２は１階と２階の間に設けられている梁であり、この梁２は上側フランジ２１と、下側フランジ２２と、この上側フランジ２１と下側フランジ２２を繋ぐウエッブ２３とからなる鋼製の断面エ字形長尺体であり、この上側フランジ２１と下側フランジに２２には、それぞれ、通孔２１１と２２１が設けられている。
尚、２階と屋根との間にも梁が設けられているが、説明を省略する。
【００２９】
３は間柱であり、この間柱３は、左右のフランジ３１、３２とこの左右のフランジ３１、３２を繋ぐウエッブ３３と、左右のフランジ３１、３２の先端から内側に折曲された折曲片３４、３５とからなる鋼製の断面Ｃ形長尺体であり、この間柱３の一方のフランジ３１の上端部と下端部には、それぞれ先端方向に突出した状態のボルト３６、３６の頭部が溶接手段で取り付けられている。又、間柱３の一方のフランジ３１の先端に取り付けられている折曲片３４には、上端部に水平方向に開口しているナット３８が溶接手段で取り付けられている。
【００３０】
そして、図２に示すように、１階の間柱３は、ボルト３６、３６が取り付けられている一方のフランジ３１を屋内方向に向け、他方のフランジ３２を屋外方向に向けた状態にして、１階の上下の梁１、２に差し渡され、間柱３の上端部に設けられているボルト３６が１階と２階の間に設けられている梁２の通孔２２１に挿入され、間柱３の下端部に設けられているボルト３６が１階の下側に設けられている梁１の通孔１２１に挿入されて立設され、この上下のボルト３６、３６にはそれぞれナット３６１が螺入されて固定されている。
【００３１】
尚、この間柱３は、上下の梁１、２の間に挿入し易くするために、上下の梁１、２の距離より短くしている。従って、図１に示すように、間柱３と１階の下側に設けられている梁１との間と、間柱３と１階の２階の間に設けられている梁２との間には、隙間３９がある。
１階と２階の間に設けられている梁２と、２階と屋根との間に設けられている図示しない梁との間にも間柱３が立設されているが、前記１階の下側に設けられている梁１と、１階と２階の間に設けられている梁２との間に立設されている間柱３と略同じであるので説明を省略する。
【００３２】
４は内壁パネルであり、この内壁パネル４は、図３に示すように、内壁パネル本体４１とライナー４５とからなる。内壁パネル本体４１は、鋼製の断面コ字形の枠材４２を矩形状に組み立て、この左右の枠材４２に桟材４３を差し渡した枠の屋内側面に石膏ボードの内壁面材４４を取り付けたものであり、ライナー４５は、左右のフランジ４６、４７と、このフランジ４６、４７を繋ぐウエッブ４８とからなる鋼製の断面コ字形長尺体である。このライナー４５のウエッブ４８には通孔が設けられている。
【００３３】
そして、内壁パネル４は、ライナー４５の断面コ字形の中に内壁パネル本体４１の上下の端部が挿入されて取り付けられている。
尚、このライナー４５は隣接する内壁パネル４のライナー４５と一体になった隣接する内壁パネル４と共用するものであってもよい。
【００３４】
５は天井パネルであり、この天井パネル５は、図２に一部が示されているように、天井パネル本体５１とライナー５５とからなる。天井パネル本体５１は、鋼製の断面コ字形の枠材を矩形状に組み立て、この左右の枠材に桟材を差し渡した枠の屋内側面に石膏ボードの天井面材５４を取り付けたものであり、ライナー５５は鋼製の断面コ字形長尺体である。このライナー５５のウエッブには通孔が設けられている。
そして、天井パネル５は、ライナー５５の断面コ字形の中に天井パネル本体５１の左右の端部が挿入されている。
尚、このライナー５５は隣接する天井パネル５のライナー５５と一体になった隣接する天井パネル５と共用するものであってもよい。
【００３５】
６は受けピースであり、この受けピース６は、図４に示すように、両側のフランジ６１、６２と、この両側のフランジ６１、６２を繋ぐウエッブ６３とからなる鋼製のコ字形のピース金具であり、一方のフランジ６１には、通孔６１１が、又、他方のフランジ６２とウエッブ６３には、それぞれ、ネジ孔６２１、６３１が設けられている。
６５はネジ棒であり、６６はこのネジ棒６５に螺入されたナットである。
【００３６】
７はＡＬＣ製の床下地材であり、１階の床下地材７は１階の下側にある梁１の上側のフランジ１１の上に載せられて取り付けられているし、２階の床下地材７は１階と２階の間にある梁２の上側フランジ２１の上に載せられて取り付けられている。
７５はパーチクルボードの床面材であり、この床面材７５は床下地材７の上に立設された脚７６の上に載せられて取り付けられている。
【００３７】
７７はフローリングの床仕上げ材であり、この床仕上げ材７７は床面材７５の上に取り付けられている。
そして、図１及び図２に示すように、内壁パネル４の上側のライナー４５が受けピース６にビス４９で取り付けられ、下側のライナー４５が床下地材７にビスで取り付けられ、天井パネル５のライナー５５が受けピース６にビス５９で取り付けられている。
【００３８】
ネジ棒６５の一端部は、受けピース６の通孔６１１に挿入され、このネジ棒６５に２個のナット６６、６６が螺入され、この２個のナット６６、６６で通孔６１１の周縁部が挟圧されて、受けピース６を介して内壁パネル４と天井パネル５がネジ棒６５に取り付けられている。
又、ネジ棒６５の他端部は、間柱３のナット３８に螺入されて、このネジ棒６５が間柱３に固定されている。
即ち、ネジ棒６５の一端部は受けピース６を介して内壁パネル４と天井パネル５に連結され、他端部は間柱３に連結されている。
【００３９】
８は外壁パネルであり、この外壁パネル８は間柱３に取り付けられている。
９は断熱材であり、この断熱材９には、内壁パネル４と外壁パネル８との間に設けられている断熱材９１と、梁１、２のウエッブ１３、２３の外側に設けられている断熱材９２と、間柱３の上下の隙間３９に設けられている断熱材９３とがある。
【００４０】
次に、この建物Ｈの内壁と外壁部分の施工方法について説明する。
先ず、図２に示すように、間柱３のボルト３６、３６が取り付けられている一方のフランジ３１を屋内方向に向け、他方のフランジ３２を屋外方向に向けた状態にして、１階の間柱３を、１階の上下の梁１、２に差し渡し、間柱３の上端部に設けられているボルト３６を１階と２階の間に設けられている梁２の通孔２２１に挿入し、間柱３の下端部に設けられているボルト３６を１階の下側に設けられている梁１の通孔１２１に挿入して立設し、この上下のボルト３６、３６にそれぞれナット３６１を螺入して固定する。
【００４１】
同様にして、１階と２階の間に設けられている梁２と、２階と屋根との間に設けられている図示しない梁との間にも間柱３を立設する。
このように、内壁パネル４や外壁パネル８を取り付ける建物躯体の外周部分には、必ず、上下に梁１、２が対峙しているので、この上下の梁１、２の適宜位置に間柱３を立設することができ、内壁パネル４や外壁パネル８を容易に取り付けることができる。
【００４２】
一方、内壁パネル４の上側のライナー４５の所々に受けピース６のウエッブ６３を当接させ、このライナー４５のウエッブ４８に設けられている通孔からウエッブ６３のネジ孔６３１にビス４９を螺入してライナー４５に受けピース６を取り付ける。又、天井パネル５のライナー５５の所々に受けピース６の他方のフランジ６２を当接させ、このライナー５５の他方のウエッブ５８に設けられている通孔から他方のフランジ６２のネジ孔６２１にビス５９を螺入してライナー５５に受けピース６を取り付ける。
【００４３】
すると、受けピース６は、コ字形のピース金具であるので、この受けピース６を内壁パネル４のライナー４５や天井パネル５のライナー５５の所々に取り付ける。
このように、受けピース６をライナー４５の所々だけに取り付けることにより材料を節約して、安価にすることができる。
【００４４】
次に、内壁パネル４の下側のライナー４５を床下地材７の所定位置に取り付ける。
そして、この内壁パネル４の下側のライナー４５の断面コ字形の中に内壁パネル４の枠の下側端部を嵌め込んで、内壁パネル４の枠を立設する。又、この内壁パネル４の枠の上側端部に上側のライナー４５の断面コ字形を嵌め込んで受けピース６を内壁パネル４の枠に取り付ける。
【００４５】
次に、ネジ棒６５を受けピース６の通孔６１１に挿入し、予め、このネジ棒６５に螺入されている２個のナット６６で、通孔６１１の周縁部を挟んだ状態にし、図２に示すように、このネジ棒６５を間柱３のナット３８に螺入してネジ棒６５を間柱３に取り付ける。
このように、ネジ棒６５をナット３８に螺入するだけで、ネジ棒６５と間柱３とを連結することができ、作業し易い。
【００４６】
次に、２個のナット６６の間隔を狭めるように回転させて、通孔６１１の周縁部を挟圧して固定する。
このようにして、複数の内壁パネル４の枠を並べて取り付ける。
【００４７】
この際、この複数の内壁パネル４を受けピース６で取り付けたときに、内壁パネルの枠の厚みの誤差や受けピース６の取付位置の誤差や、内壁パネルの枠の反り等で、複数の内壁パネル４の枠の表面が面一な状態に取り付けられてない場合には、２個のナット６６を移動させて、内壁パネル６の枠と間柱３との間の距離を調節して、壁全体の枠の表面を面一にする。すると、後述のように、この内壁パネル４の枠に内壁面材４４を取り付けたときに、この内壁面材４４が面一になった美麗な壁にすることができる。
【００４８】
尚、この２個のナット６６を移動させて、内壁パネル６の枠と間柱３との間の距離を調節する作業を、内壁面材４４を取り付けた後に、行ってもよい。
このように、ネジ棒６５を間柱３のナット３８に螺入したり、ネジ棒６５の２個のナットで受けピース６の通孔近傍を挟圧すれば内壁パネル４が取り付けられるので、作業が容易になるし、溶接しないので、溶接を行うための熟練技術者や溶接設備が必要ないし、火災が発生する危険性がない。
【００４９】
次に、この受けピース６に取り付けられているライナー５５の断面コ字形の中に天井パネル５の枠の端部を挿入して天井パネル５の枠を取り付ける。
次に、内壁パネル４の枠の室内側に内壁面材４４を取り付けて、内壁パネル４を完成したり、天井パネル５の枠の下面に天井面材５４を取り付けて天井パネル５を完成すると、内壁パネル４と天井パネル５の取り付けが終了する。
【００５０】
次に、外壁パネル８を間柱３に取り付けたり、内壁パネル４と外壁パネル８との間に設けられている断熱材９１を取り付けたり、梁１、２のウエッブ１３、２３の外側に設けられている断熱材９２と、間柱３の上下の隙間３９に設けられている断熱材９３を取り付けたり、床下地材７の上に脚７６を立設し、この上に床面材７５を取り付けたり、床面材７５の上に床仕上げ材を取り付けたり、屋根を取り付けたりその他、種々な仕上げを行うと、建物Ｈの内壁や外壁部分が完成する。
【００５１】
以上、本発明の実施の形態を実施例によって種々説明したが、本発明の具体的な構成はこれらに限られるものではなく、本発明の要旨を逸脱しない範囲の変更等があっても、本発明に含まれる。例えば、この実施例では、施工現場で内壁パネル４を製造するようにしたが、工場で内壁パネル４を製造し、施工現場では、この内壁パネル４を取り付けるだけにしてもよい。又、内壁パネル４はライナー４５を省いて、内壁パネル本体４１だけであってもよい。
【００５２】
【発明の効果】
請求項１記載の発明は、ネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定されているから、建物構造体に複数の壁パネルを壁取付金具で取り付けたときに、壁パネルの厚みの誤差や壁取付金具の取付位置の誤差や、壁パネルの反り等で、複数の壁パネルの表面が面一な状態に取り付けられず、壁全体の表面が凹凸状になった場合でも、この２個のナットを回転させて、この２個のナットに挟まれている壁取付金具又は建物構造体の位置がネジ棒の軸方向に移動させて、壁取付金具と建物構造体との間の距離を調節することが容易にでき、壁全体の表面が面一になっている美麗な壁にすることができる。
【００５３】
又、この連結構造に施工するには、ネジ棒にナットを螺入して壁取付金具又は建物構造体の通孔の周縁部を挟めばよく、作業が容易であるし、溶接しないので、溶接を行うための熟練技術者や溶接設備が必要ないし、火災の発生する危険性がない。
【００５４】
請求項２記載の発明は、ネジ棒と壁取付金具の連結構造と、ネジ棒と建物構造体の連結構造のどちらか一方は、壁取付金具又は建物構造体に通孔が設けられ、ネジ棒がこの通孔に挿入され、通孔周縁部がこのネジ棒に螺入された２個のナットに挟まれて固定されているから、請求項１記載の発明と同様に壁パネルの厚みの誤差や壁取付金具の取付位置の誤差や、壁パネルの反り等で、複数の壁パネルの表面が面一な状態に取り付けられず、壁全体の表面が凹凸状になった場合でも、壁取付金具と建物構造体との間の距離を調節して、壁全体の表面が面一になっている美麗な壁にすることができる。
【００５５】
又、他方は、壁取付金具又は建物構造体にネジ孔又はナットが設けられ、前記ネジ棒がネジ孔又はナットに螺入されているから、ネジ棒をネジ孔又はナットに螺入するだけで、他方を連結することができ、作業し易い。
両方の連結構造に施工するには、ネジ棒にナットを螺入したり、ネジ棒をナットに螺入すればよく、作業が容易であるし、溶接しないので、溶接を行うための熟練技術者や溶接設備が必要ないし、火災が発生する危険性がない。
【００５６】
請求項３記載の発明は、建物構造体が上下の梁に差し渡された間柱であるから、建物の上下の梁が対峙している適宜場所に間柱を立設し、この間柱に壁パネルを取り付けることができ、便利である。
【００５７】
請求項４記載の発明は、壁取付金具がコ字形又はＬ字形のピース金具であり、コ字形の一方のフランジ又はＬ字形の一方の片が前記ネジ棒に連結され、コ字形のウエッブ又はＬ字形の他方の片が壁パネルの端面に連結されているから、このピース金具をネジ棒で建物構造体に取り付けた場所だけに設けて、材料を節約して、安価にすることができるし、コ字形の一方のフランジ又はＬ字形の一方の片を前記ネジ棒に連結し、コ字形のウエッブ又はＬ字形の他方の片を壁パネルの端面に連結して壁パネルを容易に取り付けることができる。
【図面の簡単な説明】
【図１】本発明の一実施例を示すもので、（イ）は１階と２階の境界部分の内壁と外壁近傍を示す断面図、（ロ）は（イ）のＡ部分を拡大して示す断面図である。
【図２】内壁パネルの取付構造を分解して示す斜視図である。
【図３】内壁パネルを示す一部切欠斜視図である。
【図４】壁取付金具を示す斜視図である。
【符号の説明】
１　　　　　　　　１階の下側に設けられている梁
２　　　　　　　　１階と２階の間に設けられている梁
３　　　　　　　　建物躯体（間柱）
４　　　　　　　　壁パネル（内壁パネル）
４１　　　　　　　内壁パネル本体
４５　　　　　　　ライナー
５　　　　　　　　天井パネル
５１　　　　　　　天井パネル本体
５５　　　　　　　ライナー
６　　　　　　　　壁取付金具（受けピース）
６１１　　　　　　通孔
６５　　　　　　　ネジ棒
６６　　　　　　　ナット
【図１】
2004019354.tif 000003
【図２】
2004019354.tif 000004
【図３】
2004019354.tif 000005
【図４】
2004019354.tif 000006